(57)【要約】【課題】ドアを貫通するネジで固定するものであって、美観と防犯性を兼ね備えた摘みレバー操作型の錠前及びこれに用いる錠前用台座構造体を提供することを提供すること。【解決手段】錠前本体１の係止部材と連動する引戸の側面に付設される台座構造体であって、室内側の操作部材２と、室外側の室外側部材３と、ドアを貫通し操作部材２と室外側部材３を接続するネジ４とを有し、操作部材２は、ネジ４が通るネジ孔と、内リング２２のリング係止片２２４が係止する底縁孔２１５を有する蓋形状のネジ座２１と、ネジ座２１の内側に嵌る、内蓋２３の係止突起が係止するリング係止片２２４を有する内リング２２と、ネジ座の底板を覆い隠す内蓋２３と、操作レバー部２４と、押え蓋２５と、所定長さの角棒５、を備える錠前用台座構造体１０。【選択図】図３
2019157528.tif 000002
【特許請求の範囲】
【請求項１】
ドア内に配設された錠前本体の係止部材と連動する引戸の側面に付設される台座構造体であって、引戸の室内側に付設される操作部材と、引戸の室外側に付設される室外側部材と、ドアを貫通し該操作部材と該室外側部材を接続するネジとを有するものであり、該操作部材は、下記（ｉ）〜（vi）：
（ｉ）ドア側の底板と該底板からドア側とは反対方向に延びる円筒側板からなる蓋形状であって、操作レバー部の嵌合突起が通る第１中心孔と、該ネジが通るネジ孔と、内リングのリング係止片が係止する底縁孔を有するネジ座；
（ii）該ネジ座の内側に嵌る円筒リングであって、該ネジ座の底縁孔に係止すると共に、内蓋の係止突起が係止するリング係止片を有する内リング；
（iii）該ネジ座の底板を覆い隠すものであって、操作レバー部の嵌合突起が通る第２中心孔を有する薄円板状の本体部と、該本体部のドア側の面からドア側の方向に延びる該内リングのリング係止片に係止する係止突起とを有する内蓋；
（iv）摘み部と、該摘み部の中央からドア側の方向に延びる角棒が嵌る嵌合突起とを有する操作レバー部；
（ｖ）外周側面を有する短円筒部と、該短円筒部のドア側とは反対方向の端のフランジ部を有する押え蓋；
（vi）一端が該操作レバー部の嵌合突起の角孔に嵌る所定長さの角棒；
を備え、該室外側部材は、ネジが螺合する一対のボス孔を有するボス付き座を備えることを特徴とする錠前用台座構造体。
【請求項２】
該室外側部材は、表示部が表れる小孔を有する表示側外蓋、及び該角棒が嵌合する嵌合部と該嵌合部のドア側とは反対方向に付設される円板状の表示本体を有する表示部、を更に備えることを特徴とする請求項１記載の錠前用台座構造体。
【請求項３】
該内リングは、更に、リング本体の内周面から内側に延びる微小突起を有し、該押え蓋の短円筒部の外周面は、該微小突起と係止する係止溝を備えることを特徴とする請求項１又は２記載の錠前用台座構造体。
【請求項４】
該ネジ座と該ボス付き座が、ドアを貫通するネジにより、ドアに固定されることを特徴とする請求項１〜３のいずれか１項に記載の錠前用台座構造体。
【請求項５】
該リング係止片は、リング本体の周方向の一部を切り欠くことで形成され、ドア側の端から内側に延びる先端突起を有し、該先端突起と該内蓋の係止突起が係止することを特徴とする請求項１〜４のいずれか１項に記載の錠前用台座構造体。
【請求項６】
該ネジ座は金属製であり、該内リングは樹脂製であることを特徴とする請求項１〜５のいずれか１項に記載の錠前用台座構造体。
【請求項７】
該内蓋のドア側であって、且つ該操作レバー部の嵌合突起に外嵌合する擦れ防止用リングを更に備えることを特徴とする請求項１〜６のいずれか１項に記載の錠前用台座構造体。
【請求項８】
請求項１〜７のいずれか１項に記載の錠前用台座構造体を有することを特徴とする錠前。 
【発明の詳細な説明】
【技術分野】
【０００１】
本発明は、ドアを貫通するネジで固定する摘みレバー操作型の錠前及びこれに用いる錠前用台座構造体に関するものである。
【背景技術】
【０００２】
特開２０１７-７１８９２号公報には、出入口形成枠体に付設された挿入孔と、引戸５０の前端部から内方へ延在して装着される錠前本体部４２と、錠前本体部４２の側面から引戸５０の側方側に突出し、且つ引戸５０の側面と直交する方向に沿って回動自在の係止部材２２と、引戸５０の側面に付設される係止部材と連動する操作部材３と、操作部材３と反対側のドア面に設置される表示部材を有する引戸錠前が開示されている。
【０００３】
特開２０１７-７１８９２号公報の引戸錠前にように、錠前用台座構造体は、ドア内に配設された錠前本体の係止部材と連動する引戸の側面に付設されるものであって、引戸の室内側に付設される操作部材と、引戸の室外側に付設される表示部材とを備える。操作部材と表示部材をドア面に固定する方法としては、それぞれ単独でドア面にネジ留めする方法と、操作部材と表示部材をドアを貫通するネジで一体的にネジ留めする方法がある。
【０００４】
操作部材と表示部材を、それぞれ単独でドア面にネジ留めする方法としては、図１３に示す錠前用台座構造体１００が知られている。すなわち、操作部材側の操作部１０１の固定は、操作部材側のネジ１０２によりドア面にネジ留めされ、表示部材側の表示部２０１の固定は、表示部材側のネジ２０２によりドア面にネジ留めされる。ネジ留めされた面には、外蓋１０３、２０３がそれぞれ外装されるため、ネジ頭は隠れる。このため、美観を損ねることはない。
【先行技術文献】
【特許文献】
【０００５】
【特許文献１】特開２０１７-７１８９２号公報
【発明の開示】
【発明が解決しようとする課題】
【０００６】
しかしながら、図１３に示すように、外蓋１０３は、操作部１０１に対してねじ込みにより、外蓋２０３は、表示部２０１に対してねじ込みでそれぞれ固定されるため、外蓋１０３、２０３は容易に外すことはできる。このため、表示部材である室外側は、外蓋２０３を外して、ネジを取り外せば、錠前を開錠状態にできるため、防犯上の問題が生じる。これを解決するものとして、操作部材と表示部材をドアを貫通するネジで一体的にネジ留めする方法がある。この方法によれば、ネジ頭を室内側にできるため、防犯上の問題は生じない。しかしながら、この一体ネジ留め型の場合、ネジ長さが長く、ネジ留めを安定にするため、金属製のネジ座を使用することになる。この場合、ネジ頭は室内とは言え、外側に表れることになり、美観の問題が生じる。
【０００７】
従って、本発明の目的は、ドアを貫通するネジで固定するものであって、美観と防犯性を兼ね備えた摘みレバー操作型の錠前及びこれに用いる錠前用台座構造体を提供することにある。
【課題を解決するための手段】
【０００８】
すなわち、本発明は、上記従来の課題を解決するものであって、ドア内に配設された錠前本体の係止部材と連動する引戸の側面に付設される台座構造体であって、引戸の室内側に付設される操作部材と、引戸の室外側に付設される室外側部材と、ドアを貫通し該操作部材と該室外側部材を接続するネジとを有するものであり、
該操作部材は、下記（ｉ）〜（vi）：
（ｉ）ドア側の底板と該底板からドア側とは反対方向に延びる円筒側板からなる蓋形状であって、操作レバー部の嵌合突起が通る第１中心孔と、該ネジが通るネジ孔と、内リングのリング係止片が係止する底縁孔を有するネジ座；
（ii）該ネジ座の内側に嵌る円筒リングであって、該ネジ座の底縁孔に係止すると共に、内蓋の係止突起が係止するリング係止片を有する内リング；
（iii）該ネジ座の底板を覆い隠すものであって、操作レバー部の嵌合突起が通る第２中心孔を有する薄円板状の本体部と、該本体部のドア側の面からドア側の方向に延びる該内リングのリング係止片に係止する係止突起とを有する内蓋；
（iv）摘み部と、該摘み部の中央からドア側の方向に延びる角棒が嵌る嵌合突起とを有する操作レバー部；
（ｖ）外周側面を有する短円筒部と、該短円筒部のドア側とは反対方向の端のフランジ部を有する押え蓋；
（vi）一端が該操作レバー部の嵌合突起の角孔に嵌る所定長さの角棒；
を備え、該室外側部材は、ネジが螺合する一対のボス孔を有するボス付き座を備えることを特徴とする錠前用台座構造体を提供するものである。
【０００９】
また、本発明は、該室外側部材は、表示部が表れる小孔を有する表示側外蓋、及び該角棒が嵌合する嵌合部と該嵌合部のドア側とは反対方向に付設される円板状の表示本体を有する表示部を更に、備えることを特徴とする前記錠前用台座構造体を提供するものである。
【００１０】
また、本発明は、該内リングは、更に、リング本体の内周面から内側に延びる微小突起を有し、該押え蓋の短円筒部の外周面は、該微小突起と係止する係止溝を備えることを特徴とする前記錠前用台座構造体を提供するものである。
【００１１】
また、本発明は、該ネジ座と該ボス付き座が、ドアを貫通するネジにより、ドアに固定されることを特徴とする前記錠前用台座構造体を提供するものである。
【００１２】
また、本発明は、該リング係止片は、リング本体の周方向の一部を切り欠くことで形成され、ドア側の端から内側に延びる先端突起を有し、該先端突起と該内蓋の係止突起が係止することを特徴とする前記錠前用台座構造体を提供するものである。
【００１３】
また、本発明は、該ネジ座は金属製であり、該内リングは樹脂製であることを特徴とする前記錠前用台座構造体を提供するものである。
【００１４】
また、本発明は、該内蓋のドア側であって、且つ該操作レバー部の嵌合突起に外嵌合する擦れ防止用リングを更に備えることを特徴とする前記錠前用台座構造体を提供するものである。
【００１５】
また、本発明は、前記錠前用台座構造体を有することを特徴とする錠前を提供するものである。
【発明の効果】
【００１６】
本発明によれば、操作部材と表示部材を、ドアを貫通するネジで固定するため、強く固定できる。また、ネジ頭は室内側となるため、防犯性に優れる。また、ネジ頭を隠す内蓋を有するため、美観を損なうことがない。
【図面の簡単な説明】
【００１７】
【図１】本発明の実施の形態における錠前の分解斜視図である。
【図２】本発明の実施の形態における錠前の他の分解斜視図である。
【図３】本発明の実施の形態における錠前用台座構造体の分解斜視図である。
【図４】本発明の実施の形態における錠前用台座構造体の他の分解斜視図である。
【図５】図３の錠前用台座構造体を構成する部材の一部を組み込んだ分解斜視図である。
【図６】図３の錠前用台座構造体を構成する部材の一部を組み込んだ他の分解斜視図である。
【図７】図３の錠前用台座構造体を構成する操作部材の一部を組み込んだ分解斜視図である。
【図８】図３の錠前用台座構造体を構成する操作部材の一部を組み込んだ他の分解斜視図である。
【図９】図３の錠前用台座構造体を構成する操作部材の部分分解された断面図である。
【図１０】図３の錠前用台座構造体を構成する操作部材の断面図である。
【図１１】図３の錠前用台座構造体を構成する室外側部材の部分分解された断面図である。
【図１２】図３の錠前用台座構造体を構成する室外側部材の断面図である。
【図１３】従来の錠前用台座構造体の分解斜視図である。
【発明を実施するための形態】
【００１８】
次に、本発明の実施の形態における錠前用台座構造体（以下、単に「台座構造体」とも言う。）及び錠前について、図１〜図１２を参照して説明する。錠前１０Ａは、錠前本体１と台座構造体１０を有する。台座構造体１０は、ドア内に配設された錠前本体１の係止部材（例えば、鎌錠の鎌首）と連動する引戸の側面に付設されるものあって、引戸の室内側に付設される操作部材２と、引戸の室外側に付設される室外側部材３と、ドアを貫通し操作部材２と室外側部材３を接続するネジ４とを有する。錠前本体１としては、公知の鎌錠などが挙げられる。室外側部材３は本例では、施錠又は開錠を表示する表示部材である。
【００１９】
操作部材２は、室内側の部品であり、（ｉ）ネジ座２１、（ii）内リング２２、（iii）内蓋２３、（iv）操作レバー部２４、（ｖ）押え蓋２５及び（vi）角棒５を組み込んだものである。
【００２０】
ネジ座２１は、ドア側の底板２１１と底板２１１からドア側とは反対方向に延びる円筒側板２１２からなる蓋形状（皿形状）であって、操作レバー部２４の嵌合突起２４２が通る第１中心孔２１３と、ネジ４が通るネジ孔２１４と、内リング２２のリング係止片２２２が係止する底縁孔２１５を有する。第１中心孔２１３は、底板２１１の中心に付設される貫通孔である。ネジ孔２１４は、第１中心孔２１３の左右両側に一対（２つ）形成される貫通孔である。ネジ座２１は、金属製とすることが、ネジ４の固定を強く安定にする点で好ましい。底縁孔２１５は、第１中心孔２１３の上下側で、底板２１１と円筒側板２１２の角に一対（２つ）形成される貫通孔である。この底縁孔２１５は、内リング２２のリング係止片２２２が係止するための係止孔である。ネジ座２１の円筒側板２１２の先端は、小フランジ部を形成している。これにより、押え蓋２５のフランジ部２５２の内側に小フランジ部が嵌合することができる。このように、ネジ座２１は、ネジ４の台座として、且つ内リング２２を固定するための部材として、更に押え蓋２５と一体に係止する機能を有する。
【００２１】
内リング２２は、ネジ座２１の内側に嵌る円筒リングであって、ネジ座２１の底縁孔２１５に係止すると共に、内蓋２３の係止突起２３３が係止するリング係止片２２２と、リング本体２２１の内周面から内側に延びる微小突起２２３とを有する。内リング２２は、樹脂製とすることが、リング係止片２２２や微小突起２２３を形成し易く、内蓋２３やネジ座２１との係止が行い易い点で好ましい。リング係止片２２２は、リング本体２２１の周方向の一部を切り欠くことで上下２箇所に形成されている。また、リング係止片２２２の形状は、ネジ座２１の底縁孔２１５に係止する形状であり、径方向において僅かにアール状の凸形状を呈している。このため、内リング２２をネジ座２１に嵌め込む際、リング係止片２２２は内側に撓み、元の形状に復元することで、ネジ座２１に強く固定されるという板バネの機能を有する。また、リング係止片２２２のドア側の端は、径方向の内側に少し屈曲して延びる先端突起２２４を有している。これにより、内蓋２３の係止突起２３３と係止して、内蓋２３を固定することができる。このように、内リング２２は、内蓋２３をネジ座２１に簡易な方法で嵌めるための中間部材として機能する。
【００２２】
内蓋２３は、ネジ座２１の底板２１１を覆い隠すものであって、操作レバー部２４の嵌合突起２４２が通る第２中心孔２３２を有する薄円板状の本体部２３１と、本体部２３１のドア側の面からドア側の方向に延びる内リング２２のリング係止片２２２に係止する係止突起２３３とを有する。薄円板状の本体部２３１の外径は、ネジ座２１の底板２１１の内径（内寸法）よりやや小の大きさである。また、本体部２３１の表面は、外観に表れるため、平坦面である。第２中心孔２３２の孔径は、操作レバー部２４の嵌合突起２４２の外径と略同じである。係止突起２３３は、内リング２２のリング係止片２２２の先端に対応する位置である上下２箇所に形成されている。係止突起２３３は、横方向に少し長い略棒状突起であり、高さ方向の中央において少し縊れており、リング係止片２２２との確実な係止を可能としている。
【００２３】
操作レバー部２４は、摘み部２４１と、摘み部２４１の中央からドア側の方向に延びる角棒が嵌る嵌合突起２４２とを有する。摘み部２４１は、角材形状とすることで、摘み易くしている。嵌合突起２４２は、突起の先端から反先端側に向けて角棒５が嵌る角孔２４３が形成されている。これにより、摘み部２４１の回動に連動して角棒５が回り、錠前本体１の係止部材が作動し、表示部材３の表示部３２が回動する。角棒５は、一端が操作レバー部３の嵌合突起２４２の角孔２４３に嵌る所定長さを有する。すなわち、角棒５の他端は、錠前本体１を貫通し、表示部材３の表示部３２の嵌合部３２２に嵌合する。
【００２４】
押え蓋２５は、外周側面を有する短円筒部２５１と、短円筒部２５１のドア側とは反対方向の端のフランジ部２５２とを有し、短円筒部２５１の外周面は、内リング２２の微小突起２２３と係止する係止溝２５３を備える（図９）。押え蓋２５の短円筒部２５１の内周面及びフランジ部２５２の表面部は、外観に表れるため、平坦面としている。また、フランジ部２５２の裏面には、ネジ座２１の円筒側板２１２の小フランジが嵌る凹溝２５４が形成されている。なお、符号２６は、擦れ防止リングであり、符号２７は、留めリングである。押え蓋２５は、内蓋２３の表面の外縁を押さえ、内蓋２３の脱落を防止すると共に、最外部材となり意匠性を付与できる（図１０）。
【００２５】
室外側部材である表示部材３は、ボス付き座３１と、表示側外蓋３３と、表示部３２と、バネリング３４と、留めリング３５を更に備える。ボス付き座３１は、ネジ４が螺合する一対のボス孔を有するボス３１３を有するものである。ボス付き座３１は、中心に表示部３２の嵌合部３２２が嵌る中心孔３１２を有する円板本体３１２と、中心孔３１２の両側に付設される円板本体３１２から施錠本体側に延びる一対のボス３１３を有する。ボス３１３に形成されるボス孔は、雌孔であり、ネジと螺合する。円板本体３１２の左右端には、外側に少し延びる小突起３１４が形成されている。小突起３１４は、表示側外蓋２５の内周に形成される短円筒部３３４の高さ方向に延びる縦溝３３６に係止する（図１１）。
【００２６】
表示部３２は、角棒５が嵌合する嵌合部３２２と嵌合部のドア側とは反対方向に付設される円板状の表示本体３２１を有する。表示本体３２１の反ドア側の面には、中心線を通る左右線より上部には白シールが、下部には赤シールが貼付されている（不図示）。図３及び図４の分解図は開錠状態における配置であり、白シールは上部側に位置する。嵌合部３２２は、嵌合突起であり、嵌合突起には、ドア側の端面から反ドア側方向に所定の深さで、角孔が付設されている。角棒５は、一端が嵌合部３２２に嵌合し、施錠本体１の貫通角孔を通り、角棒５の他端が室内側の摘み部２４の嵌合突起２４２の角孔２４３に嵌合する。これにより、操作部材２と施錠本体１と表示部３が連動する。
【００２７】
表示側外蓋３３は、表示部３２の中央小突起が表れる第３中心孔３３３を有する。すなわち、表示側外蓋３３は、第３中心孔３３３が形成された円板状の天板３３２と、天板３３２の外縁よりやや内側からドア側に延びる外周側面を有する短円筒部３３４と、第３中心３３３の上方に、表示本体の表示が表れる貫通孔である小窓３３５を有する。また、短円筒部３３４の内周面は、バネリング３４が嵌る周溝３３７が形成されている。表示側外蓋２５の小孔３３５から見える表示本体３２１面には、白シールと赤シールが貼付されており、室外者に対して、施錠状態又は開錠状態を知らせるものである。表示部の表示方法としては、これに限定されず、文字表示や符号表示などが挙げられる。
【００２８】
次に、操作部材２及び表示部材３のドア面への取りつけ方法の一例を示す。施錠本体１は、既にドア内に付設されている。先ず、表示部材３を予め組み付けておく。すなわち、図３、図４、図１１及び図１２に示すように、ボス付き座３１に表示部３２を組み付ける。すなわち、表示部３２の嵌合部３２２を、ボス付き座３１の中心孔３１２に通し、留めリング３５により一体化させる。次いで、この一体化物を表示側外蓋３３に嵌め込む。すなわち、表示側外蓋３３の中に一体化物を入れ、表示部３２の中心の小突起を、表示側外蓋３３の第３中心孔３３３に嵌める。この際、バネリング３４をボス側から表示側外蓋３３側へ通して、表示側外蓋３３の周溝３３７に嵌合させる。これにより、図１２の表示部材３が得られる。
【００２９】
次に、操作部材２のネジ座２１と表示部材３をドアを挟んで対応する位置で対峙させる。ネジ座２１のネジ孔２１４からネジを通し、ドア面を貫通して表示部材３のボス３１３のボス孔にねじ込む。ネジ座２１が金属製で、ボスを含めた表示部材３が樹脂製の場合、両者を強く固定することができる（図５及び図６）。また、ネジ４のネジ頭は、室内側となるため、防犯性に優れる。
【００３０】
操作部材２において、図３及び図４の状態において、内蓋２３と操作レバー部２４及びネジ座２１と内リング２２を組み込んで一体化させたものが、図５及び図６である。すなわち、内蓋２３の第２中心孔２３２に、操作レバー部２４の嵌合突起２４２を通し、嵌合突起２４２の先端から擦れ防止リング２６及び留めリング２７を嵌め込み、両者を一体化させる。次いで、操作レバー部２４の嵌合突起２４２の角孔に、角棒５を嵌合させる。次いで、ネジ座２１に、内リング２２を嵌め込む。すなわち、ネジ座２１の中に、内リング２２を押し込み、内リング２２のリング係止片２２２を、ネジ座２１の底縁孔２１５のエッジに係止させ、両者を一体化する。これにより、図９に示すように、押え蓋２５、内蓋２３と操作レバー部２４の一体化物、ネジ座２１と内リング２２の一体化物の３部品となる。次に、ネジ座２１と内リング２２の一体化物に、内蓋２３と操作レバー部２４の一体化物を嵌合させる。この際、内蓋２３の係止突起２３３が、内リング２２のリング係止片２２２に係止することで、ネジ座２１と内リング２２の一体化物と内蓋２３と操作レバー部２４の一体化物が一体化する。これにより、ネジ４のネジ頭は内蓋２３で隠される。次いで、押え蓋２５を嵌合させる。すなわち、押え蓋２５の係止溝２５３に、内リング２２の微小突起２２３が係止する。これにより、図１０に示すような操作部材２が得られる。なお、角棒５の先端は、表示部材３の表示部３２の嵌合部３２２に嵌合する。
【００３１】
本例の錠前１０Ａは、錠前本体１と台座構造体１０を有する。錠前１０Ａの使用方法の一例を示す。錠前１０Ａにおいて、開錠状態から施錠状態とするには、摘み部２４を施錠方向に回動させる。これにより、角棒５が回動し、錠前本体１の係止部材が作動し、例えば鎌首が回転して、施錠状態となる。この際、室外側の表示部材３の外蓋３３の小孔３３５には、赤色が表れ、施錠状態を知ることができる。次に、錠前１０Ａにおいて、施錠状態から開錠状態とするには、摘み部２４を開錠方向に回動させる。これにより、角棒５が回動し、錠前本体１の係止部材が作動し、例えば鎌首が係止から外れるように回転して、開錠状態となる。この際、室外側の表示部材３の外蓋３３の小孔３３５には、白色が表れ、開錠状態を知ることができる。
【００３２】
本例の錠前１０Ａ及び台座構造体１０は、操作部材２と表示部材３を、ドアを貫通するネジ４で固定するため、強く固定できる。また、ネジ４のネジ頭は室内側となるため、防犯性に優れる。また、ネジ４のネジ頭を隠す内蓋２３を有するため、内蓋２３の表面が押え蓋２５の底面のように表れるため、意匠性が高まる。
【００３３】
本発明において、上記実施の形態例に限定されず、種々の変形を採ることができる。例えば、室外側部材である表示部材３は、表示しない部材であってもよい。この場合、室内側の操作部材２を固定するための部材として機能する。また、室外側部材が表示部材とする場合であっても、ボス付き座を有する以外は、上記実施の形態例の構成に限定されない。
【産業上の利用可能性】
【００３４】
本発明によれば、ドアの両側に位置する操作部材と室外側部材とを貫通ネジで強く固定でき、長期間の使用に耐える。また、防犯性に優れると共に、ネジのネジ頭が隠れており、美観に優れ、高級感を付与できる。
【符号の説明】
【００３５】
１      施錠本体
２      操作部材
３      室外側部材（表示部材）
４      ネジ
５      角棒
１０    錠前用台座構造体
１０Ａ  錠前
２１    ネジ座
２２    内リング
２３    内蓋
２４    操作レバー部
２５    押え蓋
３１    ボス付き座
３２    表示部
３３    表示側外蓋
３４    バネリング
３５    留めリング 
【図１】
2019157528.tif 000003
【図２】
2019157528.tif 000004
【図３】
2019157528.tif 000005
【図４】
2019157528.tif 000006
【図５】
2019157528.tif 000007
【図６】
2019157528.tif 000008
【図７】
2019157528.tif 000009
【図８】
2019157528.tif 000010
【図９】
2019157528.tif 000011
【図１０】
2019157528.tif 000012
【図１１】
2019157528.tif 000013
【図１２】
2019157528.tif 000014
【図１３】
2019157528.tif 000015